(57)【要約】【課題】組み立てが容易なケース部材及びその組立方法を提供することを目的とする。【解決手段】第一ケースと、該第一ケースと固定される第二ケースと、を備えるケース部材に於いて、前記第一ケースは、少なくとも一つの断片が設けられ、前記第二ケースは、少なくとも一つの固定溝が設けられ、前記断片は、それぞれ固定溝に差し込まれることによって、第一ケースと第二ケースとは接続される。前記ケース部材の組立方法は、前記第一ケースと、少なくとも一つの前記断片を提供し、前記断片を前記第一ケースに固定し、前記第二ケースを提供し、前記第二ケースに少なくとも一つの固定溝が設けられ、前記第一ケースは、前記断片によって、前記固定溝に係止されて、前記第一ケースと前記第二ケースが係止されるステップを備える。【選択図】図４
2013031662.tif 000002
【特許請求の範囲】
【請求項１】
第一ケースと、前記第一ケースと固定される第二ケースと、を備えるケース部材に於いて、前記第一ケースは、少なくとも一つの断片を備え、前記第二ケースは、少なくとも一つの固定溝を備え、前記断片が、前記固定溝にそれぞれ差し込まれることによって、前記第一ケースと前記第二ケースとが固定されることを特徴とするケース部材。
【請求項２】
前記ケース部材は粘着剤を備え、該粘着剤は、前記第一ケースと前記第二ケースとの間に設置されて、前記第一ケースと前記第二ケースとを接着固定することを特徴とする請求項１に記載のケース部材。
【請求項３】
前記断片は、固定端と、前記固定端の両端から上方へ折り曲がって延伸して形成された係止端と、を備え、前記固定溝の溝壁には係止部が形成され、前記係止部は、前記断片の前記係止端と係止することによって、前記断片は前記第二ケースに固定されることを特徴とする請求項２に記載のケース部材。
【請求項４】
第一ケースと、少なくとも一つの断片を提供し、該断片を前記第一ケースに固定し、第二ケースを提供し、前記第二ケースには少なくとも一つの固定溝が設けられ、前記第一ケースが、前記断片によって、前記固定溝に係止されて、前記第一ケースと前記第二ケースが係止されるステップを備えることを特徴とするケース部材の組立方法。
【請求項５】
ケース部材の組立方法は、前記断片を、前記固定溝に差し込む前に、前記第一ケースの前記第二ケースと対応する一面に、粘着剤を塗り、前記断片を前記固定溝に差し込んだ際、前記第一ケースと前記第二ケースは、前記粘着剤によって固定されるステップを備えることを特徴とする請求項４に記載のケース部材の組立方法。
【請求項６】
前記断片は、固定端と、前記固定端の両端から上方へ、折り曲がって延伸して形成された係止端と、を備え、前記固定溝の溝壁には係止部が形成され、前記係止部は、前記断片の前記係止端と係止することによって、前記断片は前記第二ケースに固定されることを特徴とする請求項４に記載のケース部材の組立方法。
【発明の詳細な説明】
【技術分野】
【０００１】
本発明は、ケース部材及びその組立方法に関するものである。
【背景技術】
【０００２】
携帯型電子装置（例えば、パソコン、携帯電話、携帯情報端末など）はケースを備え、更に、第一ケースと、第二ケースと、該第一ケースと第二ケースとの間に設置された画面と、を備える。前記第一ケースと前記第二ケースとは、ホットメルト接着剤によって固定されるが、先ず、加熱装置によって、前記ホットメルト接着剤を加熱しなければならないため、組み立てが不便である。また、前記ホットメルト接着剤によって固定されて既に一体となった、前記第一ケースと前記第二ケースとの間に設置されたスクリーンを修理する際、前記第一ケースと前記第二ケースとの何れかを破壊しなければならない。
【発明の概要】
【発明が解決しようとする課題】
【０００３】
以上の問題点に鑑みて、本発明は、組み立てが容易なケース部材及びその組立方法を提供することを目的とする。
【課題を解決するための手段】
【０００４】
前記目的を達成するために、本発明に係るケース部材は、第一ケースと、前記第一ケースに固定される第二ケースと、を備え、前記第一ケースは、少なくとも一つの断片を備え、前記第二ケースは、少なくとも一つの固定溝を備え、前記断片が、前記固定溝にそれぞれ差し込まれることによって、前記第一ケースと前記第二ケースとは固定される。
【０００５】
ケース部材の組立方法は、第一ケースと、少なくとも一つの前記断片とを提供し、該断片を前記第一ケースに固定し、第二ケースを提供し、前記第二ケースには少なくとも一つの前記固定溝が設けられ、前記第一ケースが、前記断片によって、前記固定溝に係止されて、前記第一ケースと前記第二ケースとが係止されるステップを備える。
【発明の効果】
【０００６】
本発明に係るケース部材及びその組立方法は、前記ケース部材を組み立てる際、前記第一ケースは、前記断片によって前記第二ケースと係止し、同時に、前記第一ケースと前記第二ケースとの間に設置された前記粘着剤によって接着固定されるので、ホットメルト接着剤及び加熱装置を使用せずとも、容易に前記ケース部材を組み立てることができる
【図面の簡単な説明】
【０００７】
【図１】本発明に係るケース部材の分解図である。
【図２】図１に示したケース部材の弾片の斜視図である。
【図３】図２に示したケース部材の組立図である。
【図４】図３に示したケース部材のＩＶ−ＩＶ線に沿った断面図である。
【発明を実施するための形態】
【０００８】
以下、図面に基づいて、本発明に係るケース部材及びその組立方法について詳細に説明する。
【０００９】
本発明のケース部材は、例えば、パソコン、携帯電話、携帯情報端末などの携帯型電子装置に適用される。本発明の実施形態において、前記電子装置は携帯電話である。
【００１０】
図１に示したように、携帯電話１００は、ケース部材１０と、画面（図示せず）と、他の機能部材（図示せず）と、を備える。前記ケース部材１０は、第一ケース１２及び第二ケース１４を備え、前記第一ケース１２は、粘着剤１６によって、前記第二ケース１４に接着固定される。前記画面は、前記第一ケース１２と前記第二ケース１４との間に固定される。前記第一ケース１２は、更に、基板１２２及び六つの断片１２４を備え、前記断片１２４は、溶接によって、前記基板１２２に設置される。本発明の実施形態において、前記粘着剤１６は両面テープであるが、取り外しやすい接着物でも良い。
【００１１】
図２を併せて参照すると、前記断片１２４は、固定端１２４２と、二つの曲り端１２４４と、二つの係止端１２４６と、を備える。前記二つの曲り端１２４４は、前記固定端１２４２の両端から上方へ、それぞれ折り曲がって延伸して形成され、前記二つの係止端１２４６は、前記二つの曲り端１２４４の端部から更に上方に向かって折り曲げられて形成され、且つ互いに相対し、前記第二ケース１４と係止するために使用される。前記基板１２２及び前記断片１２４は、例えば、ステンレス鋼などの金属材料によって形成される。
【００１２】
図４からわかるように、前記第二ケース１４には、前記六つの断片１２４と対応する複数の固定溝１４２が設けられており、各々の前記固定溝１４２は、底壁１４２２と二つの溝壁１４２４とに囲まれて形成され、前記底壁１４２２は、二つの前記溝壁１４２４と接続する。また、各々の前記溝壁１４２４には、互いに相対する係止部１４２６がそれぞれ設けられている。該係止部１４２６は、前記六つの断片１２４の前記二つの係止端１２４６とそれぞれ係止する。これにより、前記断片１２４は前記第二ケース１４に固定することができる。前記係止部１４２６は、前記底壁１４２２と共に、係止スロット１４２８を形成し、前記係止部１４２６と前記係止端１２４６とが係止する際、前記係止端１２４６は、該係止スロット１４２８に収容される。前記第二ケース１４は、例えば、ポリエチレンなどのプラスチック材料によって形成される。
【００１３】
図３を併せて参照すると、前記ケース部材１０を組み立てる際、先ず、前記断片１２４の前記固定端１２４２を前記基板１２２に溶接し、次いで、溶接後の前記六つの断片１２４を、前記第二ケース１４の前記固定溝１４２にそれぞれ相対設置した後、前記基板１２２の前記第二ケース１４と対応する一面に、前記粘着剤１６を塗る。次に、前記基板１２２上の前記六つの断片１２４を、前記固定溝１４２にそれぞれ差し込む。前記断片１２４を差し込む過程において、先ず、前記二つの係止端１２４６は、前記固定溝１４２の両側に位置する前記二つの係止部１４２６によってそれぞれ押圧され、この際、前記二つの曲り端１２４４は互いに対向する方向に湾曲される。次いで、前記二つの係止端１２４６は、前記二つの係止部１４２６を超えると、前記固定溝１４２の前記係止スロット１４２８にそれぞれ係合される。この際、前記二つの係止端１２４６と前記二つの係止部１４２６は互いにそれぞれ接触するので、前記基板１２２は、前記第二ケース１４上に係止される。最後に、前記基板１２２を、前記第二ケース１４に入れ込み、前記粘着剤１６と接触させて接着固定する。
【００１４】
前記ケース部材１０を組み立てる際、前記第一ケース１２は、前記断片１２４によって前記第二ケース１４と係止し、同時に、前記第一ケース１２と前記第二ケース１４との間に設置された前記粘着剤１６によって接着固定されるので、ホットメルト接着剤及び加熱装置を使用せずとも、容易に前記ケース部材１０を組み立てることができる
【００１５】
前記ケース部材１０を取り外す際、外部からの力によって、前記第一ケース１２を前記第二ケース１４から取り外す。前記第一ケース１２と、前記第二ケース１４との間に設置された前記粘着剤１６の粘着力は、前記ホットメルト接着剤の固定力よりも小さいので、前記第一ケース１２は、外部からの力によって、容易に前記第二ケース１４から取り外すことができる。つまり、前記断片１２４を前記第二ケース１４の前記固定溝１４２から脱離させれば、前記第一ケース１２は、完全に前記第二ケース１４から取り外すことができる。
【００１６】
前記断片１２４と、前記固定溝１４２との数は、一つ、二つ、或いは三つなどである。また、前記粘着剤１６は省略することもできる。この場合は、前記断片１２４と前記固定溝１４２との係止によって、前記基板１２２を前記第二ケース１４に固定する。
【００１７】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、言うまでもない。
【符号の説明】
【００１８】
１００          携帯電話
１０            ケース部材
１２            第一ケース
１４            第二ケース
１６            粘着剤
１２２          基板
１２４          断片
１２４２        固定端
１２４４        曲り端
１２４６        係止端
１４２          固定溝
１４２２        底壁
１４２４        溝壁
１４２６        係止部
１４２８        係止スロット
【図１】
2013031662.tif 000003
【図２】
2013031662.tif 000004
【図３】
2013031662.tif 000005
【図４】
2013031662.tif 000006